(57)【要約】  外部動力を使用しない自然蒸発式加湿器は水を中に配置される容器（３１０）と、所定の間隔で配置されて容器と連通する一対の溝部（３２０）と、容器および溝部に水を所定の水位まで供給するための水供給デバイス（３３０）と、蒸発板カートリッジ（３４０）と、蒸発板カートリッジは、下端に下方向突出部が形成された複数の直立蒸発板（３４１）がその内部において等間隔に配置されて、該蒸発板は、その突出部（３４２）が同突出部に対応する溝部内に挿入された状態にて互いに連結されていることと、容器および溝部を、同容器および溝部が地上から所定距離だけ離間され、かつ溝部の間に形成された空間が地上に対して開放されるように保持するホルダ（３５０）と、容器、溝部、水供給デバイス、および蒸発板カートリッジを覆い、加湿器の外観を形成する多孔性ハウジング（３６０）とを備える。本発明によれば、複数の蒸発板を小空間内にてコンパクトに配置することによって蒸発面積が有効に拡大され、蒸発板間に気流空間を形成することによってスムーズな空気の自然循環が行われ得る。それにより、加湿器の加湿性能が倍増され、構成が簡素化され得る利点を有する。さらに、自然蒸発する水分の蒸発熱により、蒸発板に近接する空気が冷却されて、冷却空気は密度の上昇により降下する。その後、蒸発板カートリッジの上方に位置する乾燥空気が降下して、水分を吸収する。このようにして、蒸発板カートリッジの蒸発板間に形成された気流空間を介して空気の自然循環が行われる。従って加湿器の加湿性能が極めて向上され得る。
2005512006.tif 000002
【特許請求の範囲】
【請求項１】
外部動力を使用しない自然蒸発式加湿器であって、
水を中に配置される容器と、
前記容器と連通するように構成された少なくとも一つの溝部と、
前記容器および溝部に水を所定の水位まで供給するための水供給デバイスと、
蒸発板カートリッジと、同蒸発板カートリッジは、下端に突出部が形成された複数の直立蒸発板がその内部において等間隔で配置されて、該蒸発板は前記突出部が同突出部に対応する前記溝部内に挿入された状態にて互いに連結されていることと、
前記容器および溝部を保持するホルダと、該容器および溝部は地上から所定の距離だけ離間され、かつ前記蒸発板カートリッジの底部の一部が地上に面することとを備える加湿器。
【請求項２】
前記溝部の一対が所定の間隔で配置されて容器と連通し、かつ前記各蒸発板は該一対の溝部に各々対応する一対の下方向突出部を有する、請求項１に記載の加湿器。
【請求項３】
前記容器と、前記少なくとも一つの溝部と、水供給デバイスと、蒸発板カートリッジとを覆い、前記加湿器の外観を形成する多孔性のハウジングを備える請求項１または２に記載の加湿器。
【請求項４】
前記蒸発板カートリッジは、前記複数の蒸発板を長尺状連結片により連結して構成される、請求項１または２に記載の加湿器。
【請求項５】
前記各蒸発板は、それ自体で直立し得るのに十分な所定の剛性を備えたウッドロックと、該ウッドロックの両面に取り付けられた水吸収性の不織布とを有する請求項４に記載の加湿器。
【発明の詳細な説明】
【技術分野】
【０００１】
本発明は、加湿器に関するものであり、より詳細には、外部動力を全く用いずに加湿能力を上昇させることの可能な自然蒸発式加湿器に関する。
【背景技術】
【０００２】
室内湿度を調節するために、一般家庭、病院、事務所等において電気加湿器が広範囲に使用されている。しかしながら、これらの加湿器は一般に、水を超音波で吹き飛ばしたり、またはファンで回転させたりすることにより、強制的な加湿を行っている。従って、ファンが回転することによる電気加湿器からの騒音や、水の強制蒸発によって生じる過度の湿度によって、かびや有害な細菌等が繁殖し得る環境が生じるという問題点が存在している。
【０００３】
従って最近では、自然蒸発モードによる自然蒸発式加湿器が使用されている。特許文献１には、この自然蒸発式加湿器の技術例が開示されている。図１は、同特許文献１に開示されている自然蒸発式加湿器の斜視図である。
【０００４】
図１に示すように、従来の自然蒸発式加湿器１００は、水を中に配置されるための容器１１０と、容器１１０上にて所定の間隔で設置された一対のアダプタ１２０と、互いに並列して配置されて、その片側が一対のアダプタ１２０に取り付けられ、かつ他方側が容器１１０内の水に浸漬された複数の韓国紙１３０とを備えている。即ち、自然蒸発式加湿器１００では、容器１１０内の水が各紙１３０に吸収された後、自然蒸発されることによって加湿が行われる。しかしながら、このような自然蒸発式加湿器１００は、水分蒸発中に冷却された空気が、容器１１０により遮断されるため容器１１０から下方に降下することができず、そのために蒸発効率が低いという不都合を有する。
【０００５】
この自然蒸発式加湿器１００に加えて、自然蒸発式加湿器における様々な技術が公知である。これらの公知技術には、特許文献２、特許文献３、特許文献４、特許文献５、および特許文献６が含まれる。
【０００６】
前述した公知技術においては、その片側がアダプタに固定されて、他方側が容器内の水に浸漬される蒸発布を介して自然蒸発式の加湿が行われている。即ち、従来技術では、一つの容器内に少なくとも一枚以上の蒸発布を塔載することによって自然蒸発を行う。従って、一枚の蒸発布シートにより蒸発が行われる自然蒸発式加湿器は、その蒸発面積が小さいために加湿効果が低い。これに対して、複数の蒸発布が配列されている自然蒸発式加湿器においては、蒸発布が数枚使用されているために、増大された蒸発面積を有する。しかしながら、このような加湿器は、蒸発布の間において、空気が下方に流れることができずに停滞するために、加湿能力が低下されるという不都合を有する。
【０００７】
自然蒸発式加湿器の加湿能力は、蒸発布の面積と、加湿器内にて発生する自然循環現象とに大きく依存する。上述の公知技術は、加湿器内にて複数の蒸発布を配置して蒸発面積を増大させる試みを行っているが、目下の所、十分にスムーズな自然循環を実行し得るほどの構成を有するものではない。
【０００８】
よって、上述の問題を解決するために、本願出願人は特許文献７に開示されている自然蒸発式加湿器を開発した。図２は、特許文献７に開示されている自然蒸発式加湿器の斜視図である。
【０００９】
図２に示すように、従来の自然蒸発式加湿器２００は、水を中に配置されるための容器２１０と、所定の間隔で並列して設置され、かつ容器２１０と連通する複数の溝部２２０と、容器２１０および溝部２２０に水を所定の水位まで供給するための水供給デバイス２３０と、吊るし具２４１の各々を溝部２２０の上方に配置させるよう設置されたアダプタ２４０と、その片側が吊るし具２４１の上部から吊るされて、他方側が溝部２２０内に充填された水に浸漬される複数の蒸発布２５０とを備えている。即ち、自然蒸発式加湿器２００においては、その蒸発面積は、並列して配置された複数の蒸発布２５０により増大されている。さらに、この複数の蒸発布は、地上から所定の間隔で、かつ所定の高さで設置されているため、水分の蒸発により冷却された空気が自然循環モードにてスムーズに降下する。以上のように、上述の加湿器は、蒸発能力が向上し得る利点を有している。
【００１０】
しかしながら、上述の加湿器では、蒸散布２５０の数に応じて配置される必要のある溝部２２０を、自然蒸発式加湿器２００内で容器２１０と連通させて設置しなければならないために加湿器が大きさが増し、かつ加湿器の構成が複雑になるという不都合を有する。さらに、直立することの不可能な蒸発布を使用しているために自然蒸発式加湿器２００内にて付加的なアダプタを要し、加湿器の構成がさらに複雑になる。
【特許文献１】韓国公開実用新案登録第１９９４−１３１０２号
【特許文献２】韓国公開実用新案登録第１９９４−２４２３４号
【特許文献３】韓国公開実用新案登録第１９９６−１８２９４号
【特許文献４】案開昭５４−１０７９６２号
【特許文献５】実開昭６１−１６９３１７号
【特許文献６】特開平２−１９２５２７号
【特許文献７】韓国特許第１０−２９５７８０号
【発明の開示】
【発明が解決しようとする課題】
【００１１】
従って、本発明は先行技術の有する上述の問題の解決を構想する。本発明の目的は、容器と連通するように形成された溝部上に複数の直立した蒸発布を設置することにより、単純な構成および向上された加湿能力とが実現された自然蒸発式加湿器を提供することにある。
【課題を解決するための手段】
【００１２】
本目的を達成するための本発明の態様によれば、水を中に配置されるための容器と、該容器と連通するように構成された少なくとも一つの溝部と、容器および溝部に水を所定の水位まで供給するための水供給デバイスと、蒸発板カートリッジと、同蒸発板カートリッジは、下端に突出部が形成された複数の直立した蒸発板がその内部において等間隔で配置されて、該蒸発板はその突出部が同突出部に対応する溝部内に挿入された状態にて互いに連結されていることと、容器および溝部を保持するホルダと、該容器および溝部は地上から所定距離だけ離間され、かつ蒸発板カートリッジの底部の一部が地上に面することとを備える自然蒸発式加湿器を提供する。
【発明を実施するための最良の形態】
【００１３】
以後、添付の図面を参照にして、本発明による自然蒸発式加湿器の好ましい実施態様を説明する。
図３は、本発明の好ましい実施態様による自然蒸発式加湿器の構成を示す組立分解斜視図である。図４は、図３に示した自然蒸発式加湿器の組立後の状態を示す斜視図である。図５は、図３に示した蒸発板カートリッジの構成を示す組立分解斜視図である。図６は、図５に示した蒸発布の一部の構成を示す詳細図である。
【００１４】
図３〜図６に示すように、本発明の自然蒸発式加湿器３００は、水を中に配置されるた
めの容器３１０と、同容器３１０と連通し、かつ所定の間隔で配置された一対の溝部３２０と、容器３１０および溝部３２０に水を所定の水位まで供給するための水供給デバイス３３０と、一対の溝部３２０の端から端に亘って設置され、かつ一端の側部部分が各々一対の溝部３２０内に直接挿入されている複数の蒸発板を有する蒸発板カートリッジと、容器３１０および溝部３２０を、該容器および溝部が地上から所定距離だけ離間され、かつ一対の溝部３２０間に形成されている空間が地上に面するように保持するホルダ３５０と、容器３１０、溝部３２０、水供給デバイス３３０、および蒸発板カートリッジ３４０を覆い、自然蒸発式加湿器の外観を形成する多孔性のハウジング３６０とを備える。
【００１５】
容器３１０は、内部に水供給デバイス３３０を設置し得る面積と、所定量の水を配置され得る深さとを有するように形成されている。さらに、容器３１０の一辺の対向する端部に一対の溝部３２０が形成されて、各々前記対向する端部から延びている。各溝部３２０は、細長く、かつ容器と同一の深さを有するように形成されている。即ち、一対の溝部３２０は所定の距離にて配置されて、溝部間に所定の大きさの空間を形成している。
【００１６】
水供給デバイス３３０は、汎用デバイスであり、その貯水タンク内の水を容器３１０および溝部３２０に所定の水位まで供給するように構成されている。
また、蒸発板カートリッジ３４０は複数の直立した蒸発板３４１を備え、各直立蒸発板は、同蒸発板の下端の対向する側部部分に形成された一対の下方向突出部３４２を有している。蒸発板カートリッジ３４０はさらに、複数の直立蒸発板３４１を等間隔に配置させて互いに連結させるための長尺状連結片３４３を有する。この時点で、蒸発板の下端に形成された一対の下方向突出部３４２は、各々、一対の溝部３２０に対応し、かつ溝部３２０に挿入されるように形成される。即ち、まず複数の蒸発板３４１を等間隔に配置して、次に接着剤により長尺状連結片を蒸発板に取り付けることによって蒸発板カートリッジ３４０が構成される。また、蒸発板３４１が長尺状連結片３４３により互いに連結可能な場合、接着剤以外の任意の他の手段を使用してもよい。内部に複数の蒸発板３４１を挿入して、蒸発板３４１を互いに連結し得る複数のカップリング溝が形成された長尺状連結片を、長尺状連結片３４３として使用することが好ましい。このように構成された蒸発板カートリッジ３４０は、溝部３２０の全領域に対応する大きさを有する。従って、蒸発板カートリッジ３４０を溝部３２０上に配置すると、蒸発板３４１の下方向突出部３４２が溝部３２０内に挿入されて、蒸発板カートリッジが直立状態に保持される。
【００１７】
各蒸発板３４１は、それ自体で直立するのに十分な所定の剛性を備えた材料（プラスチック、木材等）の両面に、水吸収性の材料を取り付けることによって形成される。図６に示すように、蒸発板３４１は、それ自体で直立し得るように所定の剛性を有するウッドロック３４４と、同ウッドロック３４４の両面に取り付けられた水吸収性の不織布３４５とを備えることが好ましい。
【００１８】
さらに、ホルダ３５０は容器３１０および溝部３２０を保持して、同容器および溝部が地上から所定の距離だけ離間され、かつ溝部３２０間に形成された空間が地上に開放されるように配置させる。即ち、ホルダ３５０は、溝部３２０間に形成された空間、即ち蒸発板カートリッジ３４０の底面の一部が地上に開放されるよう蒸発板カートリッジ３４０を保持する。溝部３２０上に設置された蒸発板カートリッジ３４０の各蒸発板の間において、空気がスムーズに流れる限り、任意の型のホルダを使用することが可能である。
【００１９】
これに加えて、多孔性のハウジング３６０が容器３１０、溝部３２０、水供給デバイス３３０、および蒸発板カートリッジ３４０を覆い、自然蒸発式加湿器の外観を形成している。多孔性ハウジング３６０は、容器３１０および溝部３２０の外縁部に形成された保持部３１１上に配置される。多孔性ハウジング３６０は、同ハウジング内に設置された蒸発板カートリッジ３４０に空気がスムーズに供給され、かつカートリッジ３４０から空気が
スムーズに排出されるように構成されている。即ち、多孔性ハウジング３６０には、気流の通路として機能する複数のスリット３６１が形成されている。さらに、多孔性ハウジング３６０の頂部上に蓋３６２が形成されており、該蓋は蒸発板カートリッジ３４０を交換する際、または貯水用タンクに水を充填するために貯水用タンクを水供給デバイス３３０から取り出す／取り付ける際に使用される。
【００２０】
上記のように構成された本発明における自然蒸発式加湿器３００によれば、複数の蒸発板３４１を有する蒸発板カートリッジ３４０が容器３１０と連通する一対の溝部３２０上に配置されているために、加湿器の蒸発面積が拡大され得る。さらに、蒸発板カートリッジ３４０の蒸発板間に気流空間が形成されているために、自然循環がスムーズに行われ得る。このようにして、向上された加湿効果が獲得され得る。また、蒸発板に近接する空気が自然蒸発する水分の蒸発熱により冷却されて、冷却空気は該空気の密度が増大することにより降下する。その後、蒸発板カートリッジの上方に位置する乾燥空気も降下して湿気を吸収する。以上のように、蒸発板カートリッジ３４０の蒸発板間に形成された気流空間を介して自然の循環が行われ、加湿性能が極めて向上し得る。
【００２１】
次に、以上のように構成した本発明による自然蒸発式加湿器の作動原理を説明する。
水供給デバイス３３０から供給される水を容器３１０および溝部３２０に所定の水位まで充填させる。その後、一対の溝部３２０の端から端に亘って設置された蒸発板カートリッジ３４０の蒸発板の下方向突出部３４２から、水を蒸発板３４１全体に吸収させる。水を吸収した蒸発板３４１から水分が自然に蒸発される。自然蒸発する水分の蒸発熱により、蒸発板に近接する空気が冷却される。その後、冷却空気は密度の上昇により降下する。次いで、蒸発板カートリッジの上方に位置する乾燥空気も降下して、自然循環による加湿が行われ得る。
【００２２】
図７は、本発明の好ましい別の一実施態様による自然蒸発式加湿器の構成を示す分解斜視図である。図７に示すように、本発明の自然蒸発式加湿器４００は自然蒸発式加湿器３００と同じように構成されるが、容器４１０に連通して一つの溝部４２０が形成されて水を中に配置され、さらに蒸発板カートリッジ４４０は溝部４２０の上部に設置されて、同カートリッジ４４０の蒸発板４４１の一端の中央部分が溝部４２０内に挿入された状態にて使用される。
【００２３】
即ち、本発明の自然蒸発式加湿器４００は、図６と同一の構成を備えた蒸発板４４１の下中央部分に下方向突出部４４２を形成し、長尺状連結片４４３により蒸発板４４１を連結して蒸発板カートリッジ４４０を構成した後、同カートリッジを溝部４２０上に設置して、図３と同様に、蒸発板カートリッジ４４０と共に水供給デバイス４３０、ホルダ４５０、および多孔性ハウジング４６０を連結することにより構成される。
【００２４】
図３および図７に示すように、本発明の自然蒸発式加湿器では、一つまたは二つの溝部が形成されており、蒸発板カートリッジが同一つまたは二つの溝部に対応するように構成されている。しかしながら、三つ以上の溝部を形成して、蒸発板カートリッジを同溝部に対応するように構成することも可能である。
【００２５】
上記において詳細に説明したように、本発明の自然蒸発式加湿器によれば、複数の蒸発板を小空間内にてコンパクトに配置することによって蒸発面積がより拡大されて、蒸発板間に気流空間を形成することによりスムーズな自然循環が実行され得る。このように、本発明の加湿器は加湿性能が倍増され、構成が簡素化され得る利点を有している。
【００２６】
これまで、本発明に従った自然蒸発式加湿器の好ましい実施態様を、添付の図面を参照して説明してきた。しかしながら、これらは本発明の単なる例示に過ぎず、本発明の範囲
を限定することを意図するものではない。
【００２７】
さらに、本発明の技術的精神および範囲から逸脱せずに、本発明に様々な改良または変更を行うことが可能である。従って、添付された特許請求の範囲はこのような様々な改良または変更を包含するものとする。
【図面の簡単な説明】
【００２８】
【図１】従来の加湿器の例を示す斜視図。
【図２】従来の加湿器の別例を示す斜視図。
【図３】本発明の好ましい実施態様による自然蒸発式加湿器の構成を示す組立分解斜視図。
【図４】図３の自然蒸発式加湿器の組立後の状態を示す斜視図。
【図５】図３の蒸発板カートリッジの構成を示す組立分解斜視図。
【図６】図５の蒸発紙の構成を示す部分詳細図。
【図７】本発明の別の好ましい実施態様による自然蒸発式加湿器の構成を示す組立分解斜視図。
【図１】
2005512006.tif 000003
【図２】
2005512006.tif 000004
【図３】
2005512006.tif 000005
【図４】
2005512006.tif 000006
【図６】
2005512006.tif 000007
【図５】
2005512006.tif 000008
【図７】
2005512006.tif 000009
【国際調査報告】
2005512006.tif 000010